(57)【特許請求の範囲】
【請求項１】
天板と箱状部材の互いの周縁部同士が結合してそれらの内部に空間が形成され、前記箱状部材の底板部の四隅部を支持する支持脚と共にフリーアクセスフロア構造を構成するフロアパネルにおいて、
前記空間中の前記天板と前記箱状部材の底板部との間に補強部材が配置され、
前記底板部は、隅部及び前記隅部に隣接する隣接辺部が、隣り合う一対の隅部間中央部の側板部より水平面における内側に引っ込んで形成されており、
前記補強部材には、前記底板部の前記隅部、前記隣接辺部、及び、前記隣り合う一対の隅部間中央部の側板部の内側の水平断面形状に沿うような平面形状の隅部、隣接辺部、及び、隣り合う一対の隅部間中央部の側板部が形成され、
前記底板部の前記隅部と、前記補強部材の前記隅部との間隔が、前記底板部の前記隣り合う一対の隅部間中央部の側板部と、前記補強部材の前記隣り合う一対の隅部間中央部の側板部との間隔よりも小さくなるように形成され、
前記底板部の前記隣接辺部と、前記補強部材の前記隣接辺部との間隔が、前記底板部の前記隣り合う一対の隅部間中央部の側板部と、前記補強部材の前記隣り合う一対の隅部間中央部の側板部との間隔よりも小さくなるように形成された
ことを特徴とするフロアパネル。
【請求項２】
前記底板部の前記隅部と、前記隅部に隣接する前記隣接辺部は、前記支持脚のパネル調整台の上端側に設けられた、水平断面が略十字状で上方に突出する中心部材の外周部に形成された円弧状の凹部に入り込むことができるように形成されたことを特徴とする請求項１に記載のフロアパネル。
【請求項３】
前記補強部材は、木質材料により形成されていることを特徴とする請求項１又は２に記載のフロアパネル。
【請求項４】
天板と箱状部材の互いの周縁部同士が結合してそれらの内部に空間が形成され、前記箱状部材の底板部の四隅部を支持する支持脚と共にフリーアクセスフロア構造を構成するフロアパネルにおいて、
前記空間中の前記天板と前記箱状部材の底板部との間に補強部材が配置され、
前記底板部は、隅部及び前記隅部に隣接する隣接辺部が、隣り合う一対の隅部間中央部の側板部より水平面における内側に引っ込んで形成されており、
前記補強部材には、前記底板部の前記隅部、前記隣接辺部、及び、前記隣り合う一対の隅部間中央部の側板部の内側の水平断面形状に沿うような平面形状の隅部、隣接辺部、及び、隣り合う一対の隅部間中央部の側板部が形成され、
前記底板部の前記隅部と、前記補強部材の前記隅部との間隔が、前記底板部の前記隣り合う一対の隅部間中央部の側板部と、前記補強部材の前記隣り合う一対の隅部間中央部の側板部との間隔よりも小さくなるように形成され、
前記底板部の前記隣接辺部と、前記補強部材の前記隣接辺部との間隔が、前記底板部の前記隣り合う一対の隅部間中央部の側板部と、前記補強部材の前記隣り合う一対の隅部間中央部の側板部との間隔よりも小さくなるように形成されたフロアパネルの製造方法であって、
板状材料の上面に、切断作用により前記板状材料の組織が崩れない位に先端部の断面が鋭利な角度の刃先を有し、この刃先が水平方向に連続する連続形状が前記補強部材の平面形状と同じ形状に形成された切断刃型の刃先を押し当て、
前記切断刃型が下降するよう駆動されて前記板状材料を切断することにより前記補強部材がその材料の組織が崩れることなく製造されるようにした
ことを特徴とするフロアパネルの製造方法。
【発明の詳細な説明】
【技術分野】
【０００１】
本発明は、フリーアクセスフロア構造に用いられるフロアパネル及びその製造方法に関するものである。
【背景技術】
【０００２】
フロアパネルは、フリーアクセスフロア構造に用いられるものであり、建築構造物の一部を構成するコンクリート材により形成された基礎床面の上方に空間を隔てて設けられるものである。
【０００３】
このようなフロアパネルとしては、従来は特許文献１に示すようなものがあった。
また、別の従来のフロアパネルとしては、図９から図１６に示すような、支持脚４と共にフリーアクセスフロア構造１を構成するフロアパネル２があった。
【０００４】
図９に示す従来のフロアパネル２は、複数のパネルの各隅部が基礎床面３上に立設された支持脚４により支持されるようになっており、その支持脚４への着脱が可能となっていた。
【０００５】
そしてフロアパネル２は、複数のパネルそれぞれの四隅部の１つずつが１箇所に寄せ集めて突き合わされて、基礎床面３から上方に空間を隔てた水平面上に、上から見て縦横二軸両方向に互いに隣り合うように整列して配置されるようになっていた。
【０００６】
この従来のフロアパネル２は、図１０にその上面図、図１１にその下面図、図１２にその側面図が描かれており、それらの図に示すように、フロアパネル２は主として、天板６と底板８（箱状部材）により構成されていた。これらの天板６と底板８は共に鋼板材を用いて形成されていた。
【０００７】
フロアパネル２の天板６は、図１０に示すように、略正方形の平板状に形成されており、その四隅部は、その平面形状が円形を４分割したような円弧状のテーパ部６ｂと、同様の円弧状の段差部６ａが形成されるようになっていた。
【０００８】
すなわち天板６は、その四隅部のそれぞれに、図１３に示すように、図中左下方に向かって傾斜するテーパ部６ｂが形成されていると共に、このテーパ部６ｂの先端部に、天板６の上面６ｃと平行でかつ段差を有する段差部６ａが形成されていた。これらのテーパ部６ｂと段差部６ａは、プレス加工により同時に成形するようになっていた。
【０００９】
フロアパネル２の底板８は、図１２に示すように、その底板部８ａの周縁部より図中上方に向かって略垂直に折り曲げられた側板部８ｂが形成されており、この側板部８ｂの上端部には図中水平方向外側に向かって略垂直に折り曲げられたフランジ部８ｃが形成されていた。これらの側板部８ｂとフランジ部８ｃは、プレス加工により同時に成形するようになっていた。
【００１０】
したがって、フロアパネル２の底板８は、その上方のフランジ部８ｃの内側に開口した内部空間を有する箱状に形成されていた。
【００１１】
図１３に示すように、底板８の上方のフランジ部８ｃは、天板６の下面６ｄの周縁部６ｅに当接し、この当接したフランジ部８ｃは周縁部６ｅに溶接やカシメ等により接合されるようになっていた。
【００１２】
図１３に示すフロアパネル２の隅部以外の、フロアパネル２の４つの各辺部においても同様に、それらのフランジ部８ｃが天板６の下面６ｄの周縁部に溶接やカシメ等により接合されるようになっていた。
【００１３】
このため、フロアパネル２は、図１２，１３に示すように、天板６と、底板８の底板部８ａと側板部８ｂによりその内部に形成された内部空間１０を有する、中空状に形成されていた。
【００１４】
上記フロアパネル２の内部空間１０には、所定の厚さを有する平板状の補強部材１２が、天板６と、底板８の底板部８ａの間に挟まれて配置されていた。この補強部材１２には、木材を小さな木片に砕いて乾燥させ、接着剤を加えて高温高圧の下で成形したパーティクルボードが用いられていた。
【００１５】
図１４（ａ），（ｂ）に示すように、補強部材１２は、プレス装置によって切断することにより、略正方形の板状に形成されていた。そして補強部材１２は、図１４（ａ）に示すように、その図中下側の側辺部に、略矩形状に入り込んで切り欠かれた切欠き部１２ｂが形成されていた。そして補強部材１２の四隅部には、三角部を切り取った後にできたような隅面１２ａが形成されていた。
【００１６】
そして、図１３に示すように、補強部材１２の厚さ方向（図中上下方向）の両端面は、天板６の下面６ｄと底板８の上面それぞれとの間に、接着剤を介して接着により固定されていた。
【００１７】
このようなフロアパネル２を支持する支持脚４は、図９，１５に示すように、パネル調整台１４と、脚部１６により構成されていた。
【００１８】
支持脚４のパネル調整台１４は、図１５に示すように、その軸線部下端側にネジ孔１４ｆが形成されており、このネジ孔１４ｆに、基礎床面３上に立設する支持脚４の、脚部１６の外周部に形成されたオネジ部１６ａをネジ結合した状態で、オネジ部１６ａの螺旋軌跡に沿ってパネル調整台１４を相対回転させることにより、パネル調整台１４の基礎床面３からの高さ位置を調整することができるようになっていた。
【００１９】
そして、パネル調整台１４の下端部に形成された、軸線がその半径方向に伸びるネジ孔１４ｅに、固定ネジ部材１５を脚部１６の周部に向かって進むように締め付けることにより、パネル調整台１４は基礎床面３から所望の高さ位置に固定されるようになっていた。
【００２０】
支持脚４のパネル調整台１４はその支持面１４ａ上に、複数のフロアパネル２の底板８の、底板部８ａの底面８ｄの四隅部のいずれか１つずつが載置されて、この底面８ｄの四隅部を介してフロアパネル２にその上方から加えられた荷重を、複数の支持脚４により支持するようになっていた。
【００２１】
そして、フロアパネル２は、支持脚４のパネル調整台１４上端部に凹んで形成された先端凹部１４ｂに、その天板６の四隅部の段差部６ａが、弾性材などを介して固定されるようになっていた。
【００２２】
すなわち、固定皿ボルト１７のオネジ部１７ｂを、パネル調整台１４の軸線部上端側のネジ孔１４ｄに締め付けることにより、フロアパネル２の段差部６ａが固定皿ボルト１７の皿頭部１７ａに押え付けられて固定されるようになっていた。
【００２３】
このため、複数のフロアパネル２が、それぞれの段差部６ａを１箇所に寄せ集めて突き合わせるように配置され、１つの同じパネル調整台１４の先端凹部１４ｂに共に固定されるようになっていた。
【００２４】
このような従来のフロアパネル２によれば、その内部空間１０内に配置された補強部材１２を厚くすることによりその強度を向上させることができるため、フロアパネル２が所望の強度を確保することができるようにはなっていた。
【先行技術文献】
【特許文献】
【００２５】
【特許文献１】特開２００９−１４４３７８号公報
【発明の概要】
【発明が解決しようとする課題】
【００２６】
しかしながら、上記従来のフロアパネル２に係る補強部材１２は、その平面形状の周部がプレス装置により切断されて形成されるようになっているため、その切断の際に加えられる力により、接着剤を介して相互に接着されていた小さな木片が相互に離隔して、切断された部分近傍が崩れてしまうので、その平面方向の寸法精度が低いものであった。
【００２７】
このため、その平面方向の寸法精度が低い補強部材１２は、その四隅部に隅面１２ａを形成することにより、図１３に示すように、底板８の側板部８ｂと、補強部材１２の隅面１２ａとの間に隙間Ｓが形成されて、底板８と補強部材１２がそれぞれの四隅部において互いに干渉しないようになっていた。
【００２８】
このような補強部材１２がその内部に配置されたフロアパネル２は、図１５に示すように、隙間Ｓが形成された部分がパネル調整台１４の支持面１４ａの上に載置され、フロアパネル２の底板８の隅部の大部分において、内部空間１０内に補強部材１２が配置されていない状態になっているので、その隅部の強度が低下するという問題があった。
【００２９】
この従来のフロアパネル２においては、その天板６や底板８の板厚にもよるが、その上方から大きな荷重が加えられた際に、パネル調整台１４の支持面１４ａにその大きな荷重の反作用として発生する、上方に向かう支持反力により押されて、底板部８ａの隅部が凹むように変形するおそれがあった。
【００３０】
このような底板部８ａの隅部が変形するのを防止するために、補強部材１２の厚さを厚くすることにより底板部８ａの隅部の強度を向上させようとしても、上述のように、底板８の隅部の大部分において、フロアパネル２の内部空間１０内に補強部材１２が配置されていない状態になっているので、その強度が低下するという問題は変わらないだけでなく、補強部材１２が厚くなることにより、その分重量が重くなると共に、コストも高くなるため、フロアパネル２の重量化や高コスト化を招くという問題があった。
【００３１】
そこで本発明は、上記問題点に鑑みて、その隅部の強度が低下することを防止してその隅部の変形を防止することができると共に、その重量化や高コスト化を防止することができるフロアパネル及びその製造方法を提供することを課題とするものである。
【課題を解決するための手段】
【００３２】
上記課題を解決するために、本発明によるフロアパネルは、
天板と箱状部材の互いの周縁部同士が結合してそれらの内部に空間が形成され、前記箱状部材の底板部の四隅部を支持する支持脚と共にフリーアクセスフロア構造を構成するフロアパネルにおいて、
前記空間中の前記天板と前記箱状部材の底板部との間に補強部材が配置され、
前記底板部は、隅部及び前記隅部に隣接する隣接辺部が、隣り合う一対の隅部間中央部の側板部より水平面における内側に引っ込んで形成されており、
前記補強部材には、前記底板部の前記隅部、前記隣接辺部、及び、前記隣り合う一対の隅部間中央部の側板部の内側の水平断面形状に沿うような平面形状の隅部、隣接辺部、及び、隣り合う一対の隅部間中央部の側板部が形成され、
前記底板部の前記隅部と、前記補強部材の前記隅部との間隔が、前記底板部の前記隣り合う一対の隅部間中央部の側板部と、前記補強部材の前記隣り合う一対の隅部間中央部の側板部との間隔よりも小さくなるように形成され、
前記底板部の前記隣接辺部と、前記補強部材の前記隣接辺部との間隔が、前記底板部の前記隣り合う一対の隅部間中央部の側板部と、前記補強部材の前記隣り合う一対の隅部間中央部の側板部との間隔よりも小さくなるように形成されたことを特徴とするものである。
【００３３】
また、本発明によるフロアパネルは、
前記底板部の前記隅部と、前記隅部に隣接する前記隣接辺部は、前記支持脚のパネル調整台の上端側に設けられた、水平断面が略十字状で上方に突出する中心部材の外周部に形成された円弧状の凹部に入り込むことができるように形成されたことを特徴とするものである。
【００３４】
また、本発明によるフロアパネルは、
前記補強部材は、木質材料により形成されていることを特徴とするものである。
【００３５】
また、上記課題を解決するために、本発明によるフロアパネルの製造方法は、
天板と箱状部材の互いの周縁部同士が結合してそれらの内部に空間が形成され、前記箱状部材の底板部の四隅部を支持する支持脚と共にフリーアクセスフロア構造を構成するフロアパネルにおいて、
前記空間中の前記天板と前記箱状部材の底板部との間に補強部材が配置され、
前記底板部は、隅部及び前記隅部に隣接する隣接辺部が、隣り合う一対の隅部間中央部の側板部より水平面における内側に引っ込んで形成されており、
前記補強部材には、前記底板部の前記隅部、前記隣接辺部、及び、前記隣り合う一対の隅部間中央部の側板部の内側の水平断面形状に沿うような平面形状の隅部、隣接辺部、及び、隣り合う一対の隅部間中央部の側板部が形成され、
前記底板部の前記隅部と、前記補強部材の前記隅部との間隔が、前記底板部の前記隣り合う一対の隅部間中央部の側板部と、前記補強部材の前記隣り合う一対の隅部間中央部の側板部との間隔よりも小さくなるように形成され、
前記底板部の前記隣接辺部と、前記補強部材の前記隣接辺部との間隔が、前記底板部の前記隣り合う一対の隅部間中央部の側板部と、前記補強部材の前記隣り合う一対の隅部間中央部の側板部との間隔よりも小さくなるように形成されたフロアパネルの製造方法であって、
板状材料の上面に、切断作用により前記板状材料の組織が崩れない位に先端部の断面が鋭利な角度の刃先を有し、この刃先が水平方向に連続する連続形状が前記補強部材の平面形状と同じ形状に形成された切断刃型の刃先を押し当て、
前記切断刃型が下降するよう駆動されて前記板状材料を切断することにより前記補強部材がその材料の組織が崩れることなく製造されるようにしたことを特徴とするものである。
【発明の効果】
【００３６】
このような本発明のフロアパネルによれば、
天板と箱状部材の互いの周縁部同士が結合してそれらの内部に空間が形成され、前記箱状部材の底板部の四隅部を支持する支持脚と共にフリーアクセスフロア構造を構成するフロアパネルにおいて、
前記空間中の前記天板と前記箱状部材の底板部との間に補強部材が配置され、
前記補強部材の平面形状は、前記箱状部材の内側の水平断面形状に沿うような形状に形成されたことにより、
フロアパネルの隅部の強度が低下することを防止してその隅部の変形を防止することができると共に、その重量化や高コスト化を防止することができる。
【００３７】
また、本発明のフロアパネルの製造方法によれば、
天板と箱状部材の互いの周縁部同士が結合してそれらの内部に空間が形成され、前記箱状部材の底板部の四隅部を支持する支持脚と共にフリーアクセスフロア構造を構成するフロアパネルにおいて、
前記空間中の前記天板と前記箱状部材の底板部との間に補強部材が配置され、
前記補強部材の平面形状は、前記箱状部材の内側の水平断面形状に沿うような形状に形成されたフロアパネルの製造方法であって、
板状材料の上面に、切断作用により前記板状材料の組織が崩れない位に先端部の断面が鋭利な角度の刃先を有し、この刃先が水平方向に連続する連続形状が前記補強部材の平面形状と同じ形状に形成された切断刃型の刃先を押し当て、
前記切断刃型が下降するよう駆動されて前記板状材料を切断することにより前記補強部材がその材料の組織が崩れることなく製造されるようにしたことにより、
フロアパネルの隅部の強度が低下することを防止してその隅部の変形を防止することができると共に、その重量化や高コスト化を防止することができる。
【図面の簡単な説明】
【００３８】
【図１】本発明の一実施の形態に係るフロアパネル２０を示す図であって、図１１におけるＢ−Ｂ線矢視の断面図である。
【図２】図１に示す補強部材２２の全体を示す図であって、図２（ａ）はその上面図、図２（ｂ）はその側面図である。
【図３】図１に示すフロアパネル２０と、このフロアパネル２０を支持する支持脚４とにより構成されたフリーアクセスフロア構造２１の斜視図である。
【図４】図３に示すフリーアクセスフロア構造２１のＣ−Ｃ線矢視の断面図である。
【図５】図３に示すフリーアクセスフロア構造２１の、フロアパネル２０の底板８の側板部８ｂの高さ中央部を水平方向に切断して上方から見た部分断面図である。
【図６】プレス装置３０により補強部材２２を作成する動作を説明するための概略斜視図である。
【図７】プレス装置３０により補強部材２２を作成する動作を説明するための概略断面図である。
【図８】プレス装置３０により補強部材２２を作成する動作を説明するための概略断面図である。
【図９】従来のフロアパネル２と、このフロアパネル２を支持する支持脚４とにより構成されたフリーアクセスフロア構造１の斜視図である。
【図１０】図３，９に示すフロアパネル２０，２の上面図である。
【図１１】図３，９に示すフロアパネル２０，２の下面図である。
【図１２】図３，９に示すフロアパネル２０，２の一部破断側面図である。
【図１３】図１１に示すフロアパネル２のＢ−Ｂ線矢視の断面図である。
【図１４】図１３に示す補強部材１２を示す図であって、図１４（ａ）はその上面図、図１４（ｂ）はその側面図である。
【図１５】図９に示すフリーアクセスフロア構造１のＡ−Ａ線矢視の断面図である。
【図１６】図９に示すフリーアクセスフロア構造１の、フロアパネル２の底板８の側板部８ｂの高さ中央部を水平方向に切断して上方から見た部分断面図である。
【発明を実施するための形態】
【００３９】
以下、本発明に係るフロアパネルを実施するための形態について、図面に基づいて具体的に説明する。
【００４０】
図１から図８は、本発明の一実施の形態に係るフロアパネル２０について説明するために参照する図である。これらの図に示すフロアパネル２０は、前記従来のフロアパネル２と同様の部分には同じ符号を付して説明し、従来と同様の構成についての重複する説明は、その一部を除き省略するものとする。
【００４１】
本実施の形態に係るフロアパネル２０は、図１に示すように、天板６と底板８（箱状部材）との互いの周縁部同士が溶接やカシメ等により接合（結合）されることにより、天板６と底板８は一体的に形成されている。そして、フロアパネル２０は、これらの天板６と底板８によりその内部空間１０を有する中空状に形成されている。
【００４２】
すなわち、フロアパネル２０は、前記従来のフロアパネル２と同様に、図１０にその上面図、図１１にその下面図、図１２にその側面図が描かれており、それらの図に示すように、フロアパネル２０は主として、天板６と底板８により構成されている。これらの天板６と底板８は共に鋼板材を用いて形成されている。
【００４３】
フロアパネル２０の天板６は、図１０に示すように、略正方形の平板状に形成されており、その四隅部は、その平面形状が円形を４分割したような円弧状のテーパ部６ｂと、同様の円弧状の段差部６ａが形成されるようになっている。
【００４４】
フロアパネル２０の底板８は、図１２に示すように、その底板部８ａの周縁部より図中上方に向かって略垂直に折り曲げられた側板部８ｂが形成されており、この側板部８ｂの上端部には図中水平方向外側に向かって略垂直に折り曲げられたフランジ部８ｃが形成されている。
【００４５】
したがって、フロアパネル２０の底板８は、その上方のフランジ部８ｃの内側に開口した内部空間を有する箱状に形成されている。これらの折り曲げにより形成された側板部８ｂとフランジ部８ｃは、プレス加工により同時に成形することができる。
【００４６】
図１に示すように、底板８の上方のフランジ部８ｃは、天板６の下面６ｄの周縁部６ｅに当接し、この当接したフランジ部８ｃは周縁部６ｅに溶接やカシメ等により接合されるようになっている。このため、フロアパネル２０は、図１，１２に示すように、天板６と、底板８の底板部８ａと側板部８ｂによりその内部に形成された、内部空間１０を有する中空状に形成されている。
【００４７】
そして、図５に示すように、フロアパネル２０は、底板８の側板部８ｂの隅部８ｅ及び隣接辺部８ｈ，８ｉは、底板８の隣り合う一対の隅部８ｅ，８ｅ間中央部の外側面８ｆ，８ｇよりも、底板８の水平面における内側に少し引っ込んだ状態となるように形成されている。
【００４８】
また、底板８の隅部８ｅと２つの隣接辺部８ｈ，８ｉは、パネル調整台１４上端側に設けられている、水平断面が略十字状で上方に突出する中心部材１１の外周部に形成された、円弧状の凹部１４ｃに入り込んで、その両側の２つの面に接触するように配置されている。
【００４９】
このため、底板８の底面８ｄと、支持脚４のパネル調整台１４の支持面１４ａの接触面積を大きなものにすることができる。このような点においては、図１６に示す前記従来のフロアパネル２においても同様である。
【００５０】
しかし、本実施の形態に係るフロアパネル２０の内部空間１０には、所定の厚さを有する平板状の補強部材２２が、天板６と、底板８の底板部８ａの間に挟まれて配置されている。この補強部材２２には、木質材料が用いられており、具体的には木材を小さな木片に砕いて乾燥させ、接着剤を加えて高温高圧の下で成形したパーティクルボードが用いられている。
【００５１】
この補強部材２２は、図２（ａ），（ｂ）に示すように、略正方形の板状に形成されて
おり、その図中下側の側辺部に、略矩形状に入り込むよう切り欠かれた切欠き部２２ｂが形成されている。
【００５２】
そして、補強部材２２は、後述する下型２６と上型２８を有するプレス装置３０に切断されることにより、図２（ａ）に示すように、その隅部２２ａ及び隣接辺部２２ｅ，２２ｆが、隣り合う一対の隅部２２ａ，２２ａ間中央部の外側面２２ｃ，２２ｄよりも、その水平面における内側に少し引っ込んだ状態となるように形成されている。
【００５３】
このため、補強部材２２は、その隅部２２ａ、隣接辺部２２ｅ，２２ｆ及び外側面２２ｃ，２２ｄの平面形状は、底板８の側板部８ｂの隅部８ｅ、隣接辺部８ｈ，８ｉ及び外側面８ｆ，８ｇの内側の水平断面形状に沿うような形状に形成されている。
【００５４】
このようなフロアパネル２０は、図５に示すように、補強部材２２の隅部２２ａと底板８の隅部８ｅとの間に隙間Ｓ１が形成されるようになっているが、この隙間Ｓ１の長さ寸法は、図１６に示す前記従来のフロアパネル２の、補強部材１２の隅面１２ａと底板８の隅部８ｅとの間の隙間Ｓの長さ寸法に比べて著しく小さくなっている。
【００５５】
そして、図１に示すように、補強部材２２の厚さ方向（図中上下方向）の両端面は、天板６の下面６ｄと底板８の上面それぞれとの間に、接着剤を介して接着により固定されている。
【００５６】
このようなフロアパネル２０を支持する支持脚４は、図３に示すように、パネル調整台１４と、脚部１６により構成されている。
【００５７】
そして図４に示すように、支持脚４のパネル調整台１４は、その支持面１４ａ上に、複数のフロアパネル２０の底板８の、底板部８ａの底面８ｄの四隅部のいずれか１つずつが載置されて、この底面８ｄの四隅部を介してフロアパネル２にその上方から加えられた荷重を、複数の支持脚４により支持するようになっている。
【００５８】
次に、図６から図８に基づいて、フロアパネル２０の製造方法、特にフロアパネル２０の内部に配置される補強部材２２の製造方法について説明する。
【００５９】
補強部材２２は、図６に示すように、下型２６と、下型２６の上方に配置されて、下型２６に対して上下方向に接近・離隔する上型２８を有する、プレス装置３０により製造されるようになっている。
【００６０】
まず、このプレス装置３０の下型２６と上型２６の間に、長さ方向（図中矢印方向）に送られてきた帯板状の板状部材２４（板状材料）の先端部が配置される。この板状部材２４には、木質材料が用いられており、具体的には木材を小さな木片に砕いて乾燥させ、接着剤を加えて高温高圧の下で成形したパーティクルボードが用いられている。
【００６１】
そして、板状部材２４は、その長さ方向に垂直な幅方向の寸法が、補強部材２２の互いに対向する外側面間の長さ寸法と同一かそれよりも若干大きく形成されている。
【００６２】
板状部材２４の長さ方向の先端部が、下型２６の上面２６ａの上に重ねられて配置された後、図７に示すように、板状部材２４の上面に上型２８の押板部２８ａの下面が接触して、板状部材２４は上方から適度な力Ｆで押え付けられるようになっている。
【００６３】
この上型２８の押板部２８ａは、図６に示すように、その平面形状が図２（ａ）に示す補強部材２２の平面形状と同一形状に形成されている。そして、上型２８は、図７に示すように、水平方向に連続する連続形状が補強部材２２の平面形状と同じ形状に形成された
刃先２８ｃを有する切断部２８ｂ（切断刃型）が、その内側面２８ｄを押板部２８ａの外側面に接触させた状態で配置されている。
【００６４】
上型２８の切断部２８ｂの刃先２８ｃは、前記従来の補強部材１２の形成に用いられた刃先、すなわち金属などを打ち抜き切断するのに用いられる、金型パンチの先端部の断面の刃先角度よりも、その先端部の断面の刃先角度が小さく鋭利に形成されている。
【００６５】
そして、図８に示すように、板状部材２４の上面に上型２８の押板部２８ａの下面が上方から適度な力Ｆで押え付けられた状態で、上型２８の切断部２８ｂが押板部２８ａの外側面に接触してガイドされながら図中下方に下降するよう駆動されて、切断部２８ｂの刃先２８ｃが板状部材２４を切断することにより補強部材２２が製造されるようになっている。
【００６６】
このとき、板状部材２４は上記適度な力Ｆで押え付けられた状態で切断部２８ｂの刃先２８ｃに切断されると共に、切断部２８ｂの刃先２８ｃ先端部の断面の刃先角度が小さく鋭利に形成されて切れ味が良いため、その切断の際に加えられる力によって、板状部材２４の組織が崩れること、すなわち板状部材２４を構成する接着剤を介して相互に接着されていた小さな木片が切断の際に相互に離隔して補強部材２２の形状が崩れることを防止できるので、補強部材２２の平面方向の寸法精度が高く形成されるようになっている。
【００６７】
このため、補強部材２２の平面形状を底板８の側板部８ｂの内側の水平断面形状に沿うような、その水平断面形状とほぼ同様の形状に形成することができる。そして、補強部材２２の四隅部には、底板８の隅部８ｅ及び隣接辺部８ｈ，８ｉに対応する、隅部２２ａ及び隣接辺部２２ｅ，２２ｆを形成することができる。
【００６８】
そして、補強部材２２は、その厚さ方向の両端面が、天板６の下面６ｄと底板８の上面それぞれとの間に、接着剤を介して接着される。このため、補強部材２２は、底板６と、底板８の底板部８ａの間に挟まれてそれらに固定される。
【００６９】
このように、内部空間１０に補強部材２２を入れて、底板８の上方のフランジ部８ｃと、天板６の下面６ｄの周縁部６ｅとが当接し、溶接やカシメ等により接合されることにより、フロアパネル２０が出来上がるようになっている。
【００７０】
このようなフロアパネル２０は、図５に示すように、図中破線で示すパネル調整台１４の支持面１４ａの上に載置される、その底板８の隅部の大部分において、天板６と底板８の間に補強部材２２が挟まれていることが示されているので、その上方から荷重が加えられた際に、補強部材２２を介して、その荷重を支持脚４のパネル調整台１４の支持面１４ａにより支持することができる。
【００７１】
これに対して、図１６に示す従来のフロアパネル２においては、図中破線で示すパネル調整台１４の支持面１４ａの上に、補強部材１２の隅面１２ａと底板８の隅部８ｅの間の略三角形状の隙間Ｓの領域には補強部材１２がほとんど無いことが示されているので、前述したようにフロアパネル２の隅部の強度が低下していることが一目で分かる。
【００７２】
本実施の形態に係るフロアパネル２０は、前述のように、その底板８の隅部の大部分において天板６と底板８の間に補強部材２２が挟まれていることが示されているので、その強度を向上させることができて撓み難くなっており、その上方から荷重が加えられた際に、その底板部８ａの隅部がパネル調整台１４の支持面１４ａの反力により変形することを確実に防止することができる。
【００７３】
また、補強部材２２の厚さを必要以上に厚くしなくともフロアパネル２０の隅部の強度を向上させることができるので、補強部材２２の厚さを厚くすることによるフロアパネル２０の重量化や高コスト化を防止することができる。
【００７４】
以上説明したように、このような本実施の形態に係るフロアパネル２０によれば、その隅部の強度が低下することを防止してその変形を防止することができると共に、その重量化や高コスト化を防止することができる。
【００７５】
なお、前記実施の形態に係るフロアパネル２０は、その内部空間１０にパーティクルボードを用いた平板状の補強部材２２が配置されていたが、その内部空間１０にはパーティクルボード以外の他の木質材料、又は木質材料以外の材料により形成された補強部材が配置されるようになっていてもよい。
【００７６】
また、図３，９においては、説明の便宜上、１つの支持脚４が３枚のフロアパネル２０それぞれの隅部を支持する場合について示してあるが、１つの支持脚４は４枚のフロアパネル２０の隅部を支持することができることはいうまでもなく、それが本来の支持脚４の使い方であることもいうまでもない。
【００７７】
また、前記実施の形態に係るフロアパネル２０においては、補強部材２２の隅部２２ａと底板８の隅部８ｅとの間に隙間Ｓ１が形成されるようになっていたが、これらの間に隙間Ｓ１が形成されずに互いに接触するようになっていてもよい。
【００７８】
また、前記実施の形態における補強部材２２は、その側辺部に、略矩形状に切り欠かれた切欠き部２２ｂが１つ形成されていたが、フロアパネルの側辺部に略矩形状に切り欠かれた切欠き部が形成されていない場合には、補強部材２２の側辺部に切欠き部２２ｂは形成されていなくてもよい。
【００７９】
また、フロアパネル２０の側辺部に、略矩形状に切り欠かれた切欠き部が複数形成されている場合には、補強部材にも複数の切欠き部が形成されるようになっていてもよい。
【００８０】
また、前記実施の形態に係るフロアパネル２０は、底板８の上方のフランジ部８ｃと、天板６の下面６ｄの周縁部６ｅとが当接し、溶接やカシメ等により接合されるようになっていたが、溶接やカシメ等以外の別の方法により接合されるようになっていてもよい。
【００８１】
また、前記実施の形態に係るフロアパネル２０においては、その底板８の側板部８ｂの隅部８ｅ及び隣接辺部８ｈ，８ｉは、側板部８ｂの隣り合う一対の隅部８ｅ，８ｅ間中央部の外側面８ｆ，８ｇよりも、底板８の水平面における内側に少し引っ込んだ状態となるように形成されていたが、底板８の側板部はこの形状にのみ限定されるわけではなく、これ以外の形状に変更してもよい。この際には、補強部材２２の外形形状を対応する形状に変更してもよい。
【符号の説明】
【００８２】
１  フリーアクセスフロア構造
２  フロアパネル
３  基礎床面
４  支持脚
６  天板
６ａ  段差部
６ｂ  テーパ部
６ｃ  上面
６ｄ  下面
６ｅ  周縁部
８  底板
８ａ  底板部
８ｂ  側板部
８ｃ  フランジ部
８ｄ  底面
８ｅ  隅部
８ｆ，８ｇ  外側面
８ｈ，８ｉ  隣接辺部
１０  内部空間
１１  中心部材
１２  補強部材
１２ａ  隅面
１２ｂ  切欠き部
１４  パネル調整台
１４ａ  支持面
１４ｂ  先端凹部
１４ｃ  凹部
１４ｄ，１４ｅ，１４ｆ  ネジ孔
１５  固定ネジ部材
１６  脚部
１７  固定皿ボルト
１７ａ  皿頭部
１７ｂ  オネジ部
２０  フロアパネル
２１  フリーアクセスフロア構造
２２  補強部材
２２ａ  隅部
２２ｂ  切欠き部
２２ｃ，２２ｄ  外側面
２２ｅ，２２ｆ  隣接辺部
２４  板状部材
２６  下型
２６ａ  上面
２８  上型
２８ａ  押板部
２８ｂ  切断部
２８ｃ  刃先
２８ｄ  内側面
３０  プレス装置
Ｓ，Ｓ１  隙間
【図１】
0005903746.tif 000002
【図２】
0005903746.tif 000003
【図３】
0005903746.tif 000004
【図４】
0005903746.tif 000005
【図５】
0005903746.tif 000006
【図６】
0005903746.tif 000007
【図７】
0005903746.tif 000008
【図８】
0005903746.tif 000009
【図９】
0005903746.tif 000010
【図１０】
0005903746.tif 000011
【図１１】
0005903746.tif 000012
【図１２】
0005903746.tif 000013
【図１３】
0005903746.tif 000014
【図１４】
0005903746.tif 000015
【図１５】
0005903746.tif 000016
【図１６】
0005903746.tif 000017